(57)【要約】      （修正有）【課題】患者用人工呼吸器の制限装置に関し、該装置が人工呼吸器のガス流路に接続されている際は該装置の上流側に背圧が生じ、該装置が該ガス流路から外れた際は該装置内の背圧が減少して流体圧警報器を作動させる患者用人工呼吸器の制限装置を提供する。【解決手段】人工呼吸器の制限装置３０は、空気供給管の下流側末端に接続され、気管内チューブコネクタへ嵌め込まれる。空気供給管の内部圧力を維持するため、制限装置３０は開口断面積が制限された通孔３０Ａを有する。背圧減少による警報機の作動は、空気供給管の脱離を意味する。制限装置３０が前記コネクタから外れた場合警報機を確実に作動させるため、制限装置３０の下流側末端に、前記通孔３０Ａとその上流側に開口部３０Ｂを有する。開口部３０Ｂは、前記コネクタへ接続時には前記コネクタの内壁で塞がれ、前記コネクタから外れた場合は開放され、空気供給管内部の背圧を減少させる。【選択図】図４
2006181347.tif 000002
【特許請求の範囲】
【請求項１】
患者用人工呼吸器（１）と患者との間のガス流路（２）に使用時において配置され、制限された通孔（３０Ａ）を持つ管状部を有する患者用人工呼吸器（１）の制限装置（３０）であって、
前記通孔（３０Ａ）が、前記管状部の末端に位置し、前記管状部の下流側へガスを流し、かつ、前記制限装置（３０）の上流側へ背圧を生じさせるようになっており、
前記制限装置の側壁には少なくとも１つの開口部（３０Ｂ）が配置され、前記制限装置が前記患者用人工呼吸器のガス流路から外れた時には、前記開口部が前記背圧を減少させることにより流体圧警報器を作動させ、制限装置の通常使用時には、前記管状部が他部品へ接続された状態において、前記開口部が前記他部品の内壁で塞がれることにより前記背圧を維持するように構成してあることを特徴とする患者用人工呼吸器の制限装置。
【請求項２】
気管内チューブコネクタ（４）に嵌め込まれ、前記気管内チューブコネクタ（４）との組み合わせで使用されることを特徴とする請求項１に記載の患者用人工呼吸器の制限装置。
【請求項３】
前記制限装置（３０）を気管内チューブコネクタ（４）に嵌め込んだ際、前記開口部（３０Ｂ）が、前記気管内チューブコネクタ（４）の内壁で塞がれ、通孔（３０Ａ）が、前記気管内チューブコネクタの内部に位置することを特徴とする請求項２に記載の制限装置と気管内チューブコネクタとの組み合わせ。
【発明の詳細な説明】
【技術分野】
【０００１】
本発明は、患者用人工呼吸器の制限装置に関する。
【背景技術】
【０００２】
周知のように、患者用人工呼吸器では、気管内チューブコネクタ（ＥＴ  チューブコネクタ）を経由して、人工呼吸器から患者へと管が続く。気管内チューブコネクタは、人工呼吸器からのガスの流れを一定に制限する機能を有する。気管内チューブコネクタの働きによって、気流回路内において、連続的な吸気圧あるいは背圧が生じる。この気流回路は、回路の吸気側に沿って患者へと向かう。気流回路において、吸気側は呼気側の反対側に位置する。気流回路内の気圧は、連続的にモニターされ、患者へのガスの供給にリークがないかチェックされる。例えば、気流回路が人工呼吸器から断絶すると、背圧が低下して警報機が作動する。
【０００３】
ただし、問題は、気管内チューブコネクタに嵌め込まれた制限装置の管状部が、気管内チューブコネクタから外れても、背圧が残存してしまうため、患者は人工呼吸を受けていないにもかかわらずリークを知られる警報が鳴らないことである。
【０００４】
添付図面を参照して説明する。
【０００５】
図１は、基本的な患者用人工呼吸回路の模式図、
図２は、人工呼吸回路に用いられる従来の制限装置の概観図、
図３は、図２と似ているが、気管内チューブコネクタから外れた状態にある従来の制限装置の概観図である。
【０００６】
図１に示すように、チューブ２が、人工呼吸器１から従来の制限装置３へと繋がっている。制限装置３は気管内チューブコネクタ４に繋がっている。 もう一方のチューブ５は、患者から人工呼吸器１へと呼気を送り返す。
【０００７】
図２に示すように、制限装置３は、チューブ２の下流側の末端と繋がり、気管内チューブコネクタ４の上流側の末端に嵌め込まれる。矢印Ｆは、気流の向きを示す。
【０００８】
制限装置３の両端の中間部分には、ガス流量の制限器Ａが備わっている。制限器３Ａはチューブ２内で必要な背圧を生じさせる。
【０００９】
しかし、図３から明らかなように、制限装置３が気管内チューブコネクタ４から外れても、チューブ２内の背圧が残存しまう。そのため、患者が人工呼吸を受けていないにもかかわらず、リークを知らせる警報が作動しない。それ故に、これは、フェール・セーフ（ｆａｉｌ−ｓａｆｅ）でない。
【発明の開示】
【発明が解決しようとする課題】
【００１０】
本発明は、このような実状に鑑みてなされ、その目的は、制限装置が人工呼吸器のガス流路に接続されている際は、制限装置の上流側へ背圧を生じさせ、制限装置が人工呼吸器のガス流路から外れた際は、制限装置内の背圧を減少させ、その結果、流体圧警報器を作動させることできるフェール・セーフな患者用人工呼吸器の制限装置を提供することである。
【課題を解決するための手段】
【００１１】
上記目的を達成するために、本発明によれば、
患者用人工呼吸器１と患者との間のガス流路２に使用時において配置され、制限された通孔３０Ａを持つ管状部を有する患者用人工呼吸器１の制限装置３０であって、
前記通孔３０Ａが、前記管状部の末端に位置し、前記管状部の下流側へガスを流し、かつ、前記制限装置３０の上流側へ背圧を生じさせるようになっており、
前記制限装置の側壁には少なくとも１つの開口部３０Ｂが配置され、前記制限装置が前記患者用人工呼吸器のガス流路から外れた時には、前記開口部が前記背圧を減少させることにより流体圧警報器を作動させ、制限装置の通常使用時には、前記管状部が他部品へ接続された状態において、前記開口部が前記他部品の内壁で塞がれることにより前記背圧を維持するように構成してあることを特徴とする患者用人工呼吸器の制限装置が提供される。
【００１２】
好ましくは、前記制限装置３０は、気管内チューブコネクタ４に嵌め込まれ、前記気管内チューブコネクタ４との組み合わせで使用される。
【００１３】
好ましくは、前記制限装置３０を気管内チューブコネクタ４に嵌め込んだ際、前記開口部３０Ｂが、前記気管内チューブコネクタ４の内壁で塞がれ、通孔３０Ａが、前記気管内チューブコネクタの内部に位置するように、前記気管内チューブコネクタと前記制限装置とを組み合わせる。
【００１４】
本願発明は、患者用人工呼吸器の制限装置を提供するものである。この制限装置は、使用の際、人工呼吸器と患者との間のガス流路に配置される。また、この制限装置は、管状部を有する。この管状部は、その末端に開口断面積が制限された通孔を有する。この通孔は、管状部の下流へ向かってガスを流す一方、制限装置の上流へ向かう背圧も生じさせる。そして、制限装置の側壁には、少なくとも１つの開口部がある。この開口部は、制限装置が人工呼吸器のガス流路から外れた際、背圧を減少させるように働き、その結果、流体圧の警報器が作動する。制限装置の通常使用時には、制限装置の管状部は他部品に接続される。開口部は、制限装置と接続する他部品の内壁によって塞がれるような位置に配置されている。よって、制限装置が他部品に接続されている状態では、背圧が維持される。
【００１５】
制限装置の管状部が接続される部分は、気管内チューブコネクタであっても良い。
【００１６】
開口断面積が制限された通孔は、従来の装置のように、制限装置両端の中間に位置するのではなく、一方の端部に位置する。したがって、通常の使用状態では、開口断面積が制限された通孔によってチューブ２内の背圧が維持される。一方、制限装置の側壁に新たに備わった開口部は、制限装置が気管内チューブコネクタに嵌め込まれているとき、制限装置の側壁が気管内チューブコネクタの中へ嵌め込まれるため、気管内チューブコネクタの内壁によって塞がれる。しかし、制限装置が気管内チューブコネクタから外れるとただちに、チューブ２内の気流が開口部から放出され、チューブ２内の背圧が減少する。よって、不具合が発生した際にアラームを作動させることができ、フェール・セーフな制御が実現する。
【発明の効果】
【００１７】
本願発明に係る患者用人工呼吸器１の制限装置３０では、制限装置が人工呼吸器のガス流路に接続されている際は、制限装置の上流側へ背圧を生じさせ、制限装置が人工呼吸器のガス流路から外れた際は、制限装置内の背圧を減少させ、その結果、流体圧警報器を作動させることのできる、フェール・セーフな制御が可能となる。
【発明を実施するための最良の形態】
【００１８】
発明をより詳細に説明し、その効果を示すために、図４〜６に、本願発明の実施例を示す。ここにおいて、
図４は本願発明に係る制限装置の概観図、
図５は、ガス供給管の下流側の末端と、気管内チューブコネクタの上流側との間に嵌め込まれた、本願発明に係る制限装置の概観図、
図６は、本願発明に係る制限装置が気管内チューブコネクタから外れた状態を示す。
【００１９】
図４〜６では、本願発明に係る制限装置は、参照番号３０で示される。制限装置の外観は、従来のタイプの装置３と似ている。それゆえ、制限装置３０の上流側の末端は、従来の装置と同様に、人工呼吸器１から続くチューブ２の下流側の末端に嵌め込まれ、制限装置３０の下流側の末端は気管内チューブコネクタ４の上流側の末端に嵌め込まれる。
【００２０】
上述したように、従来の装置３との主な相違点は、開口断面積が制限された通孔３０Ａが、制限装置３０の下流側末端に配置され、開口部３０Ｂが制限装置３０の管状部に配置されたことにある。図５に示すように、この管状部は、使用時において、気管内チューブコネクタ４の末端における開口部の内側に摩擦嵌合されて、隙間なく嵌め込まれる。換言すれば、開口部３０Ｂは、気管内チューブコネクタ４の内壁によって塞がれる。この場合、チューブ２内の背圧は維持される。
【００２１】
しかし、図６に示すように、制限装置３０が、気管内チューブコネクタ４から外れると直ちに、開口部３０Ｂが開き、背圧が低下して、警報機が作動する。
【図面の簡単な説明】
【００２２】
【図１】図１は、基本的な患者用人工呼吸回路の模式図である。
【図２】図２は、人工呼吸回路に用いられる従来の制限装置の概観図である。
【図３】図３は、図２と似ているが、気管内チューブコネクタから外れた状態にある従来の制限装置の概観図である。
【図４】図４は本願発明に係る制限装置の概観図である。
【図５】図５は、ガス供給管の下流側の末端と、気管内チューブコネクタの上流側との間に嵌め込まれた、本願発明に係る制限装置の概観図である。
【図６】図６は、本願発明に係る制限装置が気管内チューブコネクタから外れた状態を示す図である。
【符号の説明】
【００２３】
１…  患者用人工呼吸器
２…  チューブ
４…  気管内チューブコネクタ
３０…  制限装置
３０Ａ…  制限された通孔
３０Ｂ…  開口部
【図１】
2006181347.tif 000003
【図２】
2006181347.tif 000004
【図３】
2006181347.tif 000005
【図４】
2006181347.tif 000006
【図５】
2006181347.tif 000007
【図６】
2006181347.tif 000008